(57)【要約】      （修正有）【課題】端縁を露出した状態でラミネートする場合に、フィルムカットの際にもシートの搬送を継続して良好な処理速度とすると共に、正確に切断可能なラミネータを提供する。【解決手段】ラミネータ１は、先行シートＷの上流側端縁と後続シートＷの下流側端縁とを重ねた状態で連続的にシートＷを導入し搬送する導入ローラ３１ないし第１搬送ローラ１６等と、シートＷに連続フィルムＦ１をラミネートする一対の上ラミネートローラ２７及びラミネートローラ１７と、搬送されているシートＷの重なり部における段差を検知する段差検知部４０と、連続フィルムＦ１をその外方から接近し接触する刃によってカットするフィルムカット部６０とを備えており、フィルムカット部６０は、刃について、段差検知部４０による検知から所定時間後に連続フィルムＦ１への接近を開始することで、搬送されている段差上において連続フィルムＦ１に接触するようにする。【選択図】図１
2010201724.tif 000002
【特許請求の範囲】
【請求項１】
先行シートの上流側端縁と後続シートの下流側端縁とを重ねた状態で連続的にシートを導入し搬送する導入部ないし搬送部と、
前記先行シート及び前記後続シートに連続フィルムをラミネートする一対のラミネートローラと、
搬送されている前記先行シートと前記後続シートの重なり部における段差を検知する段差検知部と、
前記連続フィルムをその外方から接近し接触する刃によってカットするフィルムカット部と
を備えており、
前記フィルムカット部は、前記刃について、前記段差検知部による検知から所定時間後に前記連続フィルムへの接近を開始することで、搬送されている前記段差上において前記連続フィルムに接触するようにする
ことを特徴とするラミネータ。
【請求項２】
前記段差検知部は、
前記シート上を相対的に転がる検知ローラと、
前記検知ローラを上下動可能に支える小アームと、
前記小アームが連結されると共に、その連結箇所に隣接して支点が設けられる状態で揺動可能に支持されたロングアームと、
前記ロングアームにおける前記小アームと反対側に隣接するように設けられた、前記検知ローラないし小アームの上下動による前記ロングアームの揺動を検知する検出部と
を備えており、
前記検出部による検知により、前記段差を検知する
ことを特徴とする請求項１に記載のラミネータ。
【請求項３】
前記導入部は、
前記搬送部により搬送されている前記先行シートから上又は下にずれた状態で後続シートを導入する導入ローラと、
ワンショットクラッチを内蔵すると共に外周に歯を有するワンショットローラと
を備えており、
前記導入ローラは、前記ワンショットローラと、当該ワンショットローラの前記歯間の回転により一時的に増速されるように接続されていて、
前記後続シートは、当該増速により、前記先行シートの上流側端縁の上又は下に、自身の下流側端縁が重なる状態で導入される
ことを特徴とする請求項１又は請求項２に記載のラミネータ。
【請求項４】
前記導入部は、前記シートの下流側端縁を吸着する吸着部を備えている
ことを特徴とする請求項１ないし請求項３のいずれかに記載のラミネータ。
【請求項５】
前記ラミネートローラの下流側に、前記シートを前記フィルム側に凸に反らせる反り調整部を備えた
ことを特徴とする請求項１ないし請求項４のいずれかに記載のラミネータ。
【発明の詳細な説明】
【技術分野】
【０００１】
本発明は、印刷物を始めとする面状体（シート）の表面にフィルムを被覆するラミネータに関し、更に詳しくは、当該表面の端縁のみ露出させた状態でフィルムを被覆可能なラミネータに関する。
【背景技術】
【０００２】
従来の端縁のみ露出可能なラミネータとして、下記特許文献１に記載のものが知られている。このラミネータでは、先行シートを待機させ、その端縁に後続シートの端縁を送って重ね機構により上へ重ね、その後両シート表面にフィルムを配置し、シートの重なり部分中央がカッタの真下となったことをセンサや送り回転数により判別し、両シートを停止した後カッタを作動して当該中央にてフィルムのみカットし、シートの搬送を再開して先行シートにフィルムを圧着する。
【先行技術文献】
【特許文献】
【０００３】
【特許文献１】特開２０００−６２１２４号公報
【発明の概要】
【発明が解決しようとする課題】
【０００４】
このようなラミネータでは、両シートを重ねる際及びフィルムカットの際にシートの搬送を中断しなければならず、その分だけ処理速度が低下する。又、重なり部分中央の位置検出にセンサあるいは送り回転数を用いているため、シート表面の色彩等の状態や搬送時のズレによって検出位置が不正確になる可能性がある。
【０００５】
そこで、請求項１に記載の発明は、端縁を露出した状態でラミネートする場合に、フィルムカットの際にもシートの搬送を継続して処理速度を高水準にすると共に、搬送を継続したフィルムカットにあっても正確に切断可能なラミネータを提供することを目的としたものである。
【課題を解決するための手段】
【０００６】
上記目的を達成するために、請求項１に記載の発明は、先行シートの上流側端縁と後続シートの下流側端縁とを重ねた状態で連続的にシートを導入し搬送する導入部ないし搬送部と、前記先行シート及び前記後続シートに連続フィルムをラミネートする一対のラミネートローラと、搬送されている前記先行シートと前記後続シートの重なり部における段差を検知する段差検知部と、前記連続フィルムをその外方から接近し接触する刃によってカットするフィルムカット部とを備えており、前記フィルムカット部は、前記刃について、前記段差検知部による検知から所定時間後に前記連続フィルムへの接近を開始することで、搬送されている前記段差上において前記連続フィルムに接触するようにすることを特徴とするものである。
【０００７】
請求項２に記載の発明は、上記目的に加えて、搬送中においても僅かな段差を機械的に素早く正確に把握する目的を達成するため、上記発明にあって、前記段差検知部は、前記シート上を相対的に転がる検知ローラと、前記検知ローラを上下動可能に支える小アームと、前記小アームが連結されると共に、その連結箇所に隣接して支点が設けられる状態で揺動可能に支持されたロングアームと、前記ロングアームにおける前記小アームと反対側に隣接するように設けられた、前記検知ローラないし小アームの上下動による前記ロングアームの揺動を検知する検出部とを備えており、前記検出部による検知により、前記段差を検知することを特徴とするものである。
【０００８】
請求項３に記載の発明は、上記目的に加えて、搬送を継続しながら先行シートに後続シートを素早く正確に重ねる目的を達成するため、上記発明にあって、前記導入部は、前記搬送部により搬送されている前記先行シートから上又は下にずれた状態で後続シートを導入する導入ローラと、ワンショットクラッチを内蔵すると共に外周に歯を有するワンショットローラとを備えており、前記導入ローラは、前記ワンショットローラと、当該ワンショットローラの前記歯間の回転により一時的に増速されるように接続されていて、前記後続シートは、当該増速により、前記先行シートの上流側端縁の上又は下に、自身の下流側端縁が重なる状態で導入されることを特徴とするものである。
【０００９】
請求項４に記載の発明は、上記目的に加えて、先行シートに後続シートをより一層正確に重ねやすくする目的を達成するため、上記発明にあって、前記導入部は、前記シートの下流側端縁を吸着する吸着部を備えていることを特徴とするものである。
【００１０】
請求項５に記載の発明は、上記目的に加えて、更に高品位な仕上がりとする目的を達成するため、上記発明にあって、前記ラミネートローラの下流側に、前記シートを前記フィルム側に凸に反らせる反り調整部を備えたことを特徴とするものである。
【００１１】
なお、本発明においては、前記所定時間を０とすることも可能である。
【発明の効果】
【００１２】
本発明によれば、刃を段差検知部による検知から所定時間後に前記連続フィルムへ接近させる。よって、フィルムカットの際にもシートの搬送を継続して処理速度を高水準にすると共に、このような搬送を継続したフィルムカットにあっても正確に切断可能なラミネータを提供することができる、という効果を奏する。
【図面の簡単な説明】
【００１３】
【図１】本発明に係るラミネータの側面図である。
【図２】図１における導入ローラ付近の拡大図である。
【図３】図１における上ラミネートローラ付近の拡大図である。
【図４】図１における段差検知部付近の拡大図である。
【図５】図１におけるフィルムカット部付近の拡大図である。
【図６】図５におけるフィルムカット部の（ａ）平面図、（ｂ）側面図、（ｃ）刃部の側面図である。
【図７】図１における連続フィルムないしシートの上面模式図である。
【発明を実施するための形態】
【００１４】
以下、本発明に係る実施の形態の例につき、適宜図面に基づいて説明する。なお、本発明の形態は、この例に限定されない。
【００１５】
図１は本発明に係るラミネータ１の側面図であり、図２は最上流側の拡大図であって、各図（以下図６（ａ），図７を除き同様）における左が上流で右が下流である。ラミネータ１は、機枠２と、最上流においてラミネートの対象である方形状のシートＷを重ねて置く上下動可能なストッカ３と、ストッカ３における最も上のシートＷを導入すべく吸着部１０を有するローダ４とを備えている。ローダ４ないし吸着部１０は、ストッカ３上のシートＷの先端縁（下流側端縁）を吸着するように配置されている。なお、吸着部１０は、吸盤状部材の内部に図示しないエア路が通じているものであり、そのエア路には図示しないポンプが接続されている。ポンプは、ラミネータ１の各部を制御する図示しない制御手段により制御される。又、シートＷはここではオンデマンド印刷を施されたものであり、隣接するオンデマンド印刷機から供給されたものである。
【００１６】
更に、ローダ４下部の下流側には、水平な第１テーブル５が下流へ延びており、その下流側には更に第２テーブル６，第３テーブル７，第４テーブル８が順に設けられている。第１テーブル５は、他のテーブル６〜８に対して若干下方となっており、テーブル６〜８は同一水平面内に配置されている。なお、シートＷは、テーブル５〜８上において、上流から下流へ送られる。
【００１７】
又、ラミネータ１は、図示しないモータと連結された駆動ローラ１２を下部に備えており、駆動ローラ１２と各種ローラはチェーン等により適宜結ばれている。モータは、前記制御手段により制御される。又、テーブル５，６，７，８の下流側には、第１搬送ローラ１６，ラミネートローラ１７，第２搬送ローラ１８，第３搬送ローラ１９が順に設けられる。なお、駆動ローラ１２とチェーンＢ１で結ばれたローラ２２が別のチェーンＢ２により第２搬送ローラ１８に回転力を伝え、更に別々のチェーンＢ３，Ｂ４により第１搬送ローラ１６及びラミネートローラ１７と第３搬送ローラ１９とが駆動される。又、ローラ１６〜１９の上側には、それぞれ対となる第１上搬送ローラ２６，上ラミネートローラ２７，第２上搬送ローラ２８，第３上搬送ローラ２９が配置されている。なお、第３搬送ローラ１９の上流側下方には、シートＷの排出部３０が設けられている。又、第１搬送ローラ１６，第２搬送ローラ１８，第３搬送ローラ１９，第１上搬送ローラ２６，第２上搬送ローラ２８，第３上搬送ローラ２９は、搬送部を構成する。
【００１８】
加えて、第１搬送ローラ１６には、ワンショットクラッチ（ワンウェイクラッチ）を内蔵したワンショットローラＣ１が接続されており、ワンショットローラＣ１の側部外周には、３個の歯Ｃ１１が形成されている。又、ワンショットローラＣ１の上流側には、前記制御手段による制御に基づき歯Ｃ１１に対し爪Ｃ１２を係脱させるソレノイドＣ１３が配置されている。更に、ワンショットローラＣ１は、チェーンＢ５を介して、第１テーブル５の上側の導入ローラ３１と結ばれている。なお、爪Ｃ１２は、係止部Ｃ１４を上にすると共に、ソレノイドＣ１３の押引可能なピストンＣ１５との連結部を下にし、その間に軸Ｃ１６を配することで、ピストンＣ１５が引かれると軸Ｃ１６周りの回転により係止部Ｃ１４が歯Ｃ１１から離れ、ピストンＣ１５が押される（戻される）と軸Ｃ１６周りの回転により係止部Ｃ１４が歯Ｃ１１へ近づくこととなる。
【００１９】
ワンショットローラＣ１は、第１搬送ローラ１６から回転力を受けるが、爪Ｃ１２が歯Ｃ１１に係っていると自身の回転が食い止められ、このときワンショットクラッチは滑っている。しかし、前記制御手段の指令に基づきソレノイドＣ１３が爪Ｃ１２を引くことで歯Ｃ１１から離すと、クラッチが食い付いてワンショットローラＣ１が回転する。この回転が第１搬送ローラ１６より速くなるように、第１搬送ローラ１６とワンショットローラＣ１の接続が調整されている。この回転は、ベルトＢ５を通じて導入ローラ３１へ伝達される。又、ソレノイドＣ１３は爪Ｃ１２を引いた後すぐに戻すので、この回転は次の歯Ｃ１１に対し爪Ｃ１２が係るまで行われる。
【００２０】
なお、導入ローラ３１は、その下側に下導入ローラ３２を有する。ローダ４、導入ローラ３１及び下導入ローラ３２が、シートＷの導入部を構成する。又、導入ローラ３１は、第１搬送ローラ１６に接触する第１上搬送ローラ２６ないしこれに接触する中ローラ３３を介して第１搬送ローラ１６から回転力を受け、第１搬送ローラ１６と同速で回転する。このとき、ベルトＢ５も動作するが、ワンショットローラＣ１のベルト受け部で滑っていてワンショットローラＣ１は回転しない。
【００２１】
一方、上ラミネートローラ２７は、図示しないヒータを内蔵しており、図示しない上方のフィルムローラにセットされたフィルムロールから供給された連続フィルムＦ１を導入可能である。又、上ラミネートローラ２７は、これを保持するホルダ３５、ないし側部の下アーム３６、ピストンＣ２１を介し、下方のシリンダＣ２と連結されている。下アーム３６は、長辺と短辺とを有する側面Ｌ字状の部材であり、その短辺端縁とホルダ３５の側下部とに幅方向の軸が通されると共に、その長辺端縁とピストンＣ２１先端縁とに同様の軸が通され、更に、その角部と機枠２とにも同様の軸が通されている。
【００２２】
シリンダＣ２は、制御手段の指令に基づきピストンＣ２１を出すと、下アーム３６の長辺端縁を押し、これにより下アーム３６が角部の周りで回転し、短辺端縁が上昇してホルダ３５ないし上ラミネートローラ２７が上昇し、上ラミネートローラ２７がラミネートローラ１７から離れる。又、シリンダＣ２は、制御手段の指令に基づきピストンＣ２１を引く（復帰させる）と、押した場合の逆となり、上ラミネートローラ２７とラミネートローラ１７とが、ラミネート可能な距離を保持するか、ラミネートに適する圧力にて接触するかの状態まで近づき、導入した連続フィルムＦ１をシートＷの上面にラミネート可能となる。
【００２３】
更に、図３にも示すように、第２搬送ローラ１７の下流側には、反り調整部３７が配置されている。反り調整部３７は、押さえローラ３８と、その下流側の、テーブル７より上方に出た上げ板３９を有する。上げ板３９の上部は、テーブル７より若干上方に出ており、搬送されているシートＷを山状に（連続フィルムＦ１側に凸に）反らせる。シートＷは、上面に連続フィルムＦ１がラミネートされると、連続フィルムＦ１が縮みやすいために谷状に反る傾向があるが、反り調整部３７の上げ板３９は、その逆にシートＷないし連続フィルムＦ１を反らせることで、これらの反りを調整する。
【００２４】
又、図４にも示すように、反り調整部３７の下流側には、段差検知部４０が配置されている。段差検知部４０は、上端が第２搬送ローラ１８の上端とほぼ同高である機枠２に設置された小ローラ４２と、小ローラ４２の上側に配置された検知ローラ４４と、検知ローラ４４を回転可能かつ軸４６の周りで上下動可能に支える小アーム４８と、検知ローラ４４が上がると小アーム４８により力点（上部、支点の周囲）が押されるように小アーム４８と接続されるテコとしてのロングアーム５０と、ロングアーム５０の作用点（下部、支点の遠方）に設けられ、ロングアーム５０の下部の動きを検知する検出部５２とを備えている。検出部５２は、前記制御手段と電気的に接続されている。
【００２５】
更に、図５にも示すように、第４テーブル８の上側には、フィルムカット部６０が設置されている。フィルムカット部６０は、図６にも示すように、幅方向のレール６１及び上レール６２を有する枠６３と、レール６１上の刃部６４と、刃部６４に固定された輪状のチェーン６５と、チェーン６５を駆動する枠６３上のモータ６６と、チェーン６５が掛かるギア６７と、上レール６２に取り付けられ、制御手段と接続された刃部センサ６８と、枠６３におけるギア６７の内側に設置され、制御手段と接続された刃部センサ６９を備える。
【００２６】
刃部６４は、板状の刃７０と、レール６１を受け入れるガイド穴７１と、センサ被検知部７２とを有する。モータ６６はレール６１の一端側に配置され、ギア６７はレール６１の他端側に配置される。刃部センサ６８は、上レール６２にクランプされており、上レール６２上の任意の位置で固定可能である。
【００２７】
刃部６４は、初期では刃部センサ６８の固定位置（通常モータ側とする）に対応する位置で停止しているが、制御手段からの指令に応じモータ６６が駆動すると、チェーン６５を介してギア６７側へレール６１に沿って走行し、刃部センサ６９の設置位置に達するとセンサ被検知部７２の検知に基づくモータ６６の逆転によりモータ６６側へ走行して、刃部センサ６８による検知に基づき初期位置で停止する。
【００２８】
又、刃部６４の刃７０は、ギア６７側の辺（初期位置における中央側の辺、ヤイバ）で連続フィルムＦ１をカットするのであるが、当該辺が他に対して（若干）上がっているので、連続フィルムＦ１をすくう状態でシートＷとの間に入り込むことができる。なお、刃７０は板バネであるため、そのしなり（弾性）によりシートＷに密着していない連続フィルムＦ１の部分をたどる。又、刃７０は下流側へ長く、あるいはヤイバが下流側へ行くほど外側にあるので、シートＷが下流へ搬送されていても、刃７０を連続フィルムＦ１の当該部分で進めていける。
【００２９】
このように成るラミネータ１の動作につき説明する。主に図２に示すように、前記制御手段は、駆動ローラ１２を駆動することで、第１搬送ローラ１６や導入ローラ３１を所定送り速度（例えば毎分４メートル）で回転させる。又、前記制御手段は、ローダ４を下降してポンプを作動し、ストッカ３における最も上のシートＷの下流側端縁を吸着部１０において吸着して上昇すると共に、吸着部１０を下流方向へ素早く移動し、更に吸着を解除し上流へ復帰して、シートＷの端縁を導入ローラ３１と下導入ローラ３２の間に導入する。導入されたシートＷは、導入ローラ３１ないし第１搬送ローラ１６等により下流へ送られる。なお、前記制御手段は、ストッカ３を、シートＷの肉厚分だけ僅かに上昇させる。
【００３０】
そして、前記制御手段は、シートＷの上流側端縁が図２に示すように第１搬送ローラ１６を通過したら（中ローラ３３下方に設置された図示しないセンサがシートＷの上流側端辺の通過を認識することにより把握する）、次のシートＷを同様に導入すると共に、ソレノイドＣ１３を作動してワンショットローラＣ１を回転し、導入ローラ３１を一時的に増速して次のシートＷを先行シートＷに対し近づけ、先行シートＷの上流側端縁の下に後続シートＷの下流側端縁を重ねる。以後、この重なり状態でシートＷが順に送られる。なお、重なり量は、センサ認識後の遅延時間や増速タイミング、増速時速度等により調節できる。
【００３１】
更に、主に図３に示すように、シートＷは連続フィルムＦ１と共に上ラミネートローラ２７及びラミネートローラ１７の間を通り、先行シートＷないし後続シートＷの表面に連続フィルムＦ１がラミネートされる。上ラミネートローラ２７はヒータにより適宜加熱される。なお、図示しないスイッチの押下等に基づきシリンダＣ２を動作させれば、連続フィルムＦ１のセッティング時やメンテナンス時等において上ラミネートローラ２７の上昇又は下降を行え、上ラミネートローラ２７の上昇によりラミネートローラ１７との間を空けることができる。
【００３２】
又、上面に連続フィルムＦ１がラミネートされた後、シートＷは反り調整部３７を通過する。即ち、シートＷは、上げ板３９によって通過時にテーブル７より上げられると共に、押さえローラ３８によって上げ板３９の下流側を上げ板３９より下にされ、もって通過時に一時的に山状に反らされて、連続フィルムＦ１付きシートＷの反りが調整される。
【００３３】
そして、主に図４に示すように、段差検知部４０の検知ローラ４４は、連続フィルムＦ１上を転がるが、先行シートＷと後続シートＷの重なり部の上を転がり、先行シートＷから後続シートＷへ移る際に、シートＷ肉厚分の段差により僅かに下降する。そして、この下降により、小アーム４８が軸４６の周りで揺動し、ロングアーム５０の上部を押す。すると、ロングアーム５０の下部が、前記下降や揺動より大きく動き、その動きを検出部５２で検出する。検出部５２は、ここではロングアーム５０により押されるスイッチである。
【００３４】
前記制御手段は、主に図５に示すように、検出部５２により先行シートＷと後続シートＷの段差の通過が検知されると、自身の持つ（あるいは自身に接続された）タイマーによる設定時間（所定時間、例えば１４１６ミリ秒）のカウントを開始する。そして、前記制御手段は、設定時間の経過を把握すると、モータ６６を駆動し、チェーン６５ないしレール６１を介して刃部６４の走行ないし復帰を行う。図７に模式的に示すように、設定時間後の走行開始により、刃部６４は先行シートＷと後続シートＷの段差上の連続フィルムＦ１（図７の先行シートＷの上流側端部Ｗ１のすぐ上流側の部分）にちょうど接近し、刃部６４の刃７０は、当該段差上の連続フィルムＦ１をすくうようにして接触し、そのまま段差上において連続フィルムＦ１を切断していく。連続フィルムＦ１は段差上でわずかにシートＷから浮いているし、又刃７０が板状であり、刃７０のヤイバが下流側先端へ行くにつれて外側へ逃げているから、シートＷが搬送中であっても刃７０は段差をたどる。
【００３５】
そして、刃部６４が刃部センサ６９に達するまでに、連続フィルムＦ１は完全に切断され、先行シートＷ上に切り離されたフィルムＦ２がラミネートされた状態を実現する。従って、設定時間は、検知ローラ４４の下部（シートＷ接触点）からシートＷ脇の刃７０に対応する（刃７０が最初に連続フィルムＦ１に適用される）点までの距離を送り速度で除して得られる時間から、刃７０が連続フィルムＦ１に対する最初の接触まで要する時間（連続フィルムＦ１の側辺に達する時間）を引いたものに設定される。なお、ここでは、図７に示すように、シートＷの幅より若干狭い幅の連続フィルムＦ１をラミネートし、シートＷの両脇にも端縁露出部ができるようにする。
【００３６】
フィルムＦ２がラミネートされた先行シートＷは、そのまま排出部３０に排出される。一方、後続シートＷは、下流側端縁が先行シートＷの上流側端縁と重なっていた分だけ露出した状態で連続フィルムＦ１がラミネートされた状態となり、又適宜のタイミングで更なる後続シートＷと僅かに重ねられて共に搬送されることで前述の先行シートＷとなり、前述の動作が繰り返されることで連続的にシートＷにフィルムＦ２をラミネートすることができる。
【００３７】
以上のラミネータ１では、先行シートＷの上流側端縁と後続シートＷの下流側端縁とを重ねた状態で連続的にシートＷを導入し搬送する導入ローラ３１及び下導入ローラ３２ないし第１搬送ローラ１６，第２搬送ローラ１８，第３搬送ローラ１９，第１上搬送ローラ２６，第２上搬送ローラ２８，第３上搬送ローラ２９と、先行シートＷ及び後続シートＷに連続フィルムＦ１をラミネートする一対の上ラミネートローラ２７及びラミネートローラ１７と、搬送されている先行シートＷと後続シートＷの重なり部における段差を検知する段差検知部４０と、連続フィルムＦ１をその外方から接近し接触する刃７０によってカットするフィルムカット部６０とを備えており、フィルムカット部６０は、刃７０について、段差検知部４０による検知から所定時間後に連続フィルムＦ１への接近を開始することで、搬送されている段差上において連続フィルムＦ１に接触するようにするので、搬送を継続しながらのフィルムカットを実現し、シートＷの端縁を露出させたラミネートにおける処理速度を飛躍的に向上することができ、しかも搬送されて来るシートＷの段差に丁度合わせて刃を当てることで正確なフィルムカットとすることができる。
【００３８】
又、段差検知部４０は、シートＷ上を相対的に転がる検知ローラ４４と、検知ローラ４４を上下動可能に支える小アーム４８と、小アーム４８が連結されると共に、その連結箇所に隣接して支点が設けられる状態で揺動可能に支持されたロングアーム５０と、ロングアーム５０における小アーム４８と反対側に隣接するように設けられた、検知ローラ４４ないし小アーム４８の上下動によるロングアーム５０の揺動を検知する検出部５２とを備えており、検出部５２による検知により段差を検知するので、段差を検知ローラ４４、小アーム４８ないしロングアーム５０の機械的動作により素早く正確に検知することができ、搬送中における正確なフィルムカットに資することができる。
【００３９】
更に、導入ローラ３１は、第１搬送ローラ１６等により搬送されている先行シートＷから下にずれた状態で後続シートＷを導入し、ワンショットクラッチを内蔵すると共に外周に歯Ｃ１１を有するワンショットローラＣ１と、ワンショットローラＣ１の歯Ｃ１１間の回転により一時的に増速されるように接続されていて、後続シートＷは、当該増速により、先行シートＷの上流側端縁の下に、自身の下流側端縁が重なる状態で導入されるので、搬送を継続しながら端縁露出のためのシートＷの重ねを実行することができ、シートＷの端縁を露出させるラミネートにおける処理速度を飛躍的に向上することができるし、ワンショットローラＣ１の作用により一定の重ね量で正確にシートＷを重ねることができる。
【００４０】
又更に、ローダ４は、シートＷの下流側端縁を吸着する吸着部を備えているので、下流側端縁を正確に導入することができ、後続シートＷの先行シートＷへの重ね合わせを正確に実行して、端縁の露出寸法等に係る精度の高いラミネートを実現することができる。
【００４１】
加えて、ラミネートローラ１７の下流側に、シートＷを連続フィルムＦ１側に凸に反らせる反り調整部３７を備えたので、連続フィルムＦ１側に凹に反る傾向のあるシートＷの反りを戻して整えることができ、その後の工程の精度を向上すると共に、仕上がり自体を高品位にすることができる。
【００４２】
なお、主に上記形態を変更して成る、本発明の他の形態を例示する。搬送ローラの数を増減したり、ロングアームを斜め、横あるいは幅方向に設けたり、小ローラを省いたり、反り調整部の上げ板の下流側にも押さえローラを設けたり、反り調整部を段差検知部やフィルムカット部より下流側に配置したりする等、各種部材の個数、配置、存否を上記以外のものとする。先行シートの上流側端縁の上側に対し後続シートの下流側端縁を重ねる。反り調整部の上げ板の上がり量を調整可能としたり、押さえローラの上下位置を調整可能としたりする等、反りの度合を調整可能とする。反り調整部の上げ板の代わりにブロックやローラを設ける。上ラミネートローラがラミネートローラから離れている状態で搬送ローラを動作させ（ようとし）た場合に、その動作を中止ないし停止したり、エラーランプを点灯したりする。ラミネートローラにワンショットクラッチを連結し、ラミネートローラが上ラミネートローラから離れたり近づいたりするようにする。又、オンデマンド印刷されたシート以外のシートにラミネートする。
【符号の説明】
【００４３】
１    ラミネータ
４    ローダ（導入部）
１０    吸着部（導入部）
１６    第１搬送ローラ（搬送部）
１７    ラミネートローラ
１８    第２搬送ローラ（搬送部）
１９    第３搬送ローラ（搬送部）
２６    第１上搬送ローラ（搬送部）
２７    上ラミネートローラ
２８    第２上搬送ローラ（搬送部）
２９    第３上搬送ローラ（搬送部）
３１    導入ローラ（導入部）
３２    下導入ローラ３２（導入部）
３７    反り調整部
４０    段差検知部
４４    検知ローラ
４８    小アーム
５０    ロングアーム
５２    検出部
６０    フィルムカット部
７０    刃
Ｃ１  ワンショットローラ
Ｃ１１〜Ｃ３１  歯
Ｆ１    連続フィルム
Ｗ      シート（先行シート、後続シート）
【図１】
2010201724.tif 000003
【図２】
2010201724.tif 000004
【図３】
2010201724.tif 000005
【図４】
2010201724.tif 000006
【図５】
2010201724.tif 000007
【図６】
2010201724.tif 000008
【図７】
2010201724.tif 000009